(57)【要約】【課題】  蛍光観察の照明用光源として固体照明を用い、試料の保護、操作性、省電力化に優れた顕微鏡用蛍光照明装置を提供する。【解決手段】  照明光源としてのＬＥＤ４からの照明光を蛍光試料Ｓ上に導くととともに、ＬＥＤ４の点灯／消灯および照明光の調光を制御部１３により制御可能にしている。【選択図】      図１
2005321453.tif 000002
【特許請求の範囲】
【請求項１】
照明光を発生する固体照明を有する光源と、
前記光源からの照明光を試料上に導く照明光学系と、
前記固体照明の点灯／消灯および前記照明光の調光を制御可能にした制御手段と
を具備したことを特徴とする顕微鏡用蛍光照明装置。
【請求項２】
さらに前記試料から発せられる蛍光が導かれる観察光学系と、前記観察光学系に導かれた蛍光を取り込む外部機器と、を具備し、
前記制御手段は、前記固体照明の点灯または消灯に応じて前記外部機器の制御信号を出力する信号出力手段を有することを特徴とする請求項１記載の顕微鏡用蛍光照明装置。
【請求項３】
さらに前記試料から発せられる蛍光が導かれる観察光学系と、前記観察光学系に導かれた蛍光を取り込む外部機器と、を具備し、
前記制御手段は、前記外部機器の動作状態に応じた信号が入力される信号入力手段を有し、該信号入力手段に入力された信号に基づいて前記固体照明の点灯または消灯を制御することを特徴とする請求項１記載の顕微鏡用蛍光照明装置。
【請求項４】
前記光源は少なくとも２個の固体照明を有し、前記制御手段は、前記外部機器の動作状態に応じて前記信号入力手段に入力される信号により前記固体照明を順番に点灯／消灯制御することを特徴とする請求項３記載の顕微鏡用蛍光照明装置。
【請求項５】
前記制御手段は、パルス幅変調制御により前記固体照明の照明光の調光を可能にしたことを特徴とする請求項１乃至４のいずれかに記載の顕微鏡用蛍光照明装置。
【請求項６】
前記制御手段は、前記外部機器の動作状態に応じて前記信号入力手段に入力される信号により点灯／消灯制御する前記固体照明の点灯制御期間に同期してパルス幅変調制御を実行することを特徴とする請求項３または４記載の顕微鏡用蛍光照明装置。
【請求項７】
外部機器は、前記観察光学系に導かれた蛍光を撮像する撮像手段であることを特徴とする請求項１乃至６のいずれかに記載の顕微鏡用蛍光照明装置。
【請求項８】
前記制御手段は、前記固体照明の点灯／消灯を操作する操作入力手段と、前記固体照明の調光を操作する調光操作手段とを備えた操作手段を有することを特徴とする請求項１乃至７のいずれかに記載の顕微鏡用蛍光照明装置。
【請求項９】
前記固体照明は、ＬＥＤからなることを特徴とする請求項１乃至８のいずれかに記載の顕微鏡用蛍光照明装置。
【発明の詳細な説明】
【技術分野】
【０００１】
本発明は、医学、生物学などの研究分野において生物組織からの蛍光を観察する蛍光顕微鏡に用いられる顕微鏡用蛍光照明装置に関するものである。
【背景技術】
【０００２】
従来、蛍光顕微鏡として、医学および生物学などの分野において生物組織細胞上で蛍光標識を施した蛋白や遺伝子などを観察するのに用いられものが知られている。
【０００３】
このような蛍光顕微鏡は、蛍光標識を施された生物細胞に対し、ある特定幅の波長のみ含む照明光（励起光）を照射すると、生物細胞は励起光よりも長い波長の光（蛍光）を発することから、この蛍光を観察するようになっている。
【０００４】
ところで、従来、蛍光顕微鏡に用いられる蛍光観察用照明装置としては、水銀ランプやキセノンランプといった連続的な波長を持つ光源が使用されており、このような光源から発生する光を励起光として標本に照射するようにしている。
【０００５】
しかし、これら水銀ランプやキセノンランプからの光は多くの波長成分を有するため、励起フィルタと呼ばれる波長選択フィルタを用いて、特定の波長成分を抽出し、これを励起光として試料に照射するようにしている。このことから、各種のフィルタを装着し、さらに、これらフィルタを切換可能としたフィルタ装置が必要となるためフィルタ装置に大きな取付けスペースを必要とするという問題を生じる。また、これら水銀ランプやキセノンランプは、大型で、発熱も多い事から、その取り扱いは不便でもあった。
【０００６】
そこで、最近になって、光源として１個または複数のＬＥＤ（Ｌｉｇｈｔ  Ｅｍｉｔｔｉｎｇ  Ｄｉｏｄｅ）、ＬＤ（Ｌａｓｅｒ  Ｄｉｏｄｅ）、有機ＥＬ（Ｏｒｇａｎｉｃ  Ｅｌｅｃｔｏｒｏ  Ｌｕｍｉｎｅｓｃｅｎｃｅ）などの固体照明を使用したものが考えられている。
【０００７】
これら固体照明のうち、特にＬＥＤは、高輝度化に伴って普及が進み、その中でも、白色光を発するＬＥＤは照明として多様な分野に使用される様になってきた。また、単色のＬＥＤも高輝度化や発光波長の多様化が進み、信号機などの表示用に広く用いられている。さらに、顕微鏡の照明光源としてＬＥＤを使用すると、ＬＥＤの特徴である小型、長寿命、低発熱などにより、メンテナンスフリー化や、照明装置の小型化、低消電力、発熱の低減などの多くのメリットが期待できる。
【０００８】
例えば、特許文献１では、白色ＬＥＤのアレイを使用することで、従来のランプ交換時の各種の調整を省略し、顕微鏡の明視野／暗視野観察の切換えを同一のＬＥＤアレイ内での点灯箇所の切換えで行うことで可能にするなど、省スペースで且つ操作性の良い照明装置を実現させている。
【０００９】
特許文献２では、単色のＬＥＤが数１０ｎｍ幅程度の波長帯域であることに着目し、これを蛍光顕微鏡の照明装置に用いることで、励起フィルタを必要としない、省スペースな蛍光顕微鏡を実現している。さらにＬＥＤによる励起光照明を透過型や落射型の暗視野光学系とすることで、Ｓ／Ｎの向上した高感度の蛍光観察を可能にしている。
【特許文献１】特開２００１−１５４１０３号公報
【特許文献２】特開２００２−１３１６４８号公報
【発明の開示】
【発明が解決しようとする課題】
【００１０】
ところで、蛍光顕微鏡による蛍光観察では、予め各種の蛍光色素によって染色された試料を用いるため、蛍光色素の経時劣化、いわゆる腿色による観察光量の不足が問題となる。これを回避するため、従来ではメカニカルなシャッタを用い、観察時や撮影時以外は不要な励起光を遮光することで腿色を軽減するようにしている。ここで、メカニカルなシャッタを使用する理由は、従来の光源である水銀ランプやキセノンランプは、一旦消灯してからの再点灯までに時間を要すること、またランプ自体の発光が安定するまでに時間がかかること等が挙げられる。
【００１１】
一方、冷却ＣＣＤカメラとＩＩ（イメージインテンシファイア）、つまり、ＣＣＤカメラの高速／高性能化とＧＦＰ（Ｇｒｅｅｎ  Ｆｌｕｏｒｅｓｃｅｎｔ  Ｐｒｏｔｅｉｎ）に代表される蛍光蛋白質の発展に伴い、生細胞や生組織の活動（細胞内外、組織内外の情報伝達活動）を蛍光イメージングにより解析、研究することが盛んに行われている。
【００１２】
このような生きた細胞や組織の蛍光イメージング（生きた細胞、生きた組織の画像から、その活動を空間的、時間的に解析する手法）においては、先述した蛍光色素の退色による観察光量不足の問題に加えて、さらに、励起光による生細胞、生組織へのダメージがより深刻な問題となる。このことから、必要にして最小の励起光照射を実現して、可能な限り観察対象を生かし続けることが望まれる上述するような蛍光イメージングにおいては、標本への不要な励起光照射を避ける目的で、高速シャッタの開閉や、遮光板を装着した高速フィルターターレットの回動が採用されている。
【００１３】
しかしながら、高速シャッタやフィルターターレットは、メカニカルな機構を用いていることから数［ｍＳ］〜数十［ｍＳ］の切換え時間が必要となる。このことは、例えば、毎秒５００画像程度の撮影を可能とした高速カメラを使う場合、このカメラの露出開始／露出終了と同期を取ったとしても、数［ｍＳ］〜数十［ｍＳ］の間、標本へ不要な励起光を照射してしまう。
【００１４】
ところで、水銀ランプやキセノンランプは放電管であり、光束を連続的に調整することができない。このため、光束を２〜３枚のＮＤフィルタにより段階的に減光することで、おおまかな調光を行っている。ところが、接眼レンズでの肉眼観察が主流であった頃は、このような、おおまか偏光で十分であったが、上述するような蛍光イメージングにおいては、肉眼では認識できない程度の微弱な蛍光を高感度のＣＣＤカメラにより画像取得し、これを解析することが行われている。この微弱蛍光でのイメージングでは、励起光の調光も極め細かい調整、精度が必要となってきている。
【００１５】
本発明は上記事情に鑑みてなされたもので、蛍光観察の照明用光源として固体照明を用い、試料の保護、操作性、省電力化に優れた顕微鏡用蛍光照明装置を提供することを目的とする。
【課題を解決するための手段】
【００１６】
請求項１記載の発明は、照明光を発生する固体照明を有する光源と、前記光源からの照明光を試料上に導く照明光学系と、前記固体照明の点灯／消灯および前記照明光の調光を制御可能にした制御手段とを具備したことを特徴としている。
【００１７】
請求項２記載の発明は、請求項１記載の発明において、さらに前記試料から発せられる蛍光が導かれる観察光学系と、前記観察光学系に導かれた蛍光を取り込む外部機器と、を具備し、前記制御手段は、前記固体照明の点灯または消灯に応じて前記外部機器の制御信号を出力する信号出力手段を有することを特徴としている。
【００１８】
請求項３記載の発明は、請求項１記載の発明において、さらに前記試料から発せられる蛍光が導かれる観察光学系と、前記観察光学系に導かれた蛍光を取り込む外部機器と、を具備し、前記制御手段は、前記外部機器の動作状態に応じた信号が入力される信号入力手段を有し、該信号入力手段に入力された信号に基づいて前記固体照明の点灯または消灯を制御することを特徴としている。
【００１９】
請求項４記載の発明は、請求項３記載の発明において、前記光源は少なくとも２個の固体照明を有し、前記制御手段は、前記外部機器の動作状態に応じて前記信号入力手段に入力される信号により前記固体照明を順番に点灯／消灯制御することを特徴としている。
【００２０】
請求項５記載の発明は、請求項１乃至４のいずれかに記載の発明において、前記制御手段は、パルス幅変調制御により前記固体照明の照明光の調光を可能にしたことを特徴としている。
【００２１】
請求項６記載の発明は、請求項３または４記載の発明において、前記制御手段は、前記外部機器の動作状態に応じて前記信号入力手段に入力される信号により点灯／消灯制御する前記固体照明の点灯制御期間に同期してパルス幅変調制御を実行することを特徴としている。
【００２２】
請求項７記載の発明は、請求項１乃至６のいずれかに記載の発明において、外部機器は、前記観察光学系に導かれた蛍光を撮像する撮像手段であることを特徴としている。
【００２３】
請求項８記載の発明は、請求項１乃至７のいずれかに記載の発明において、前記制御手段は、前記固体照明の点灯／消灯を操作する操作入力手段と、前記固体照明の調光を操作する調光操作手段とを備えた操作手段を有することを特徴としている。
【００２４】
請求項９記載の発明は、請求項１乃至８のいずれかに記載の発明において、前記固体照明は、ＬＥＤからなることを特徴としている。
【発明の効果】
【００２５】
本発明によれば、蛍光観察の照明用光源として、固体照明を用いることにより、蛍光観察における観察や撮影時に必要最小限の期間でのみ励起光の照射を行なうようにでき、試料の保護、操作性、省電力化に優れた顕微鏡用蛍光照明装置を提供できる。
【発明を実施するための最良の形態】
【００２６】
以下、本発明の実施の形態を図面に従い説明する。
【００２７】
（第１の実施の形態）
図１は本発明の第１の実施の形態にかかる顕微鏡用蛍光照明装置を使用した顕微鏡システムの概略構成を示している。
【００２８】
図において、１はステージで、このステージ１には、試料として蛍光試料Ｓが載置されている。ステージ１は、光軸方向に上下動可能になっていて、この上下方向の移動により蛍光試料Ｓのピントを合わせが可能になっている。
【００２９】
ステージ１の上方には、蛍光試料Ｓに近接して対物レンズ３が配置されている。対物レンズ３は、倍率の異なる複数本（図示例では２本）がレボルバ２に保持され、レボルバ２の回転操作により選択的に対物レンズ３を光軸上に位置され、蛍光試料Ｓを観察できるようになっている。
【００３０】
一方、４は、照明用光源として、固体照明であるＬＥＤ（Ｌｉｇｈｔ  Ｅｍｉｔｔｉｎｇ  Ｄｉｏｄｅ）で、このＬＥＤ４から発せられる光の光路には、照明光学系を構成するコレクタレンズ５、励起フィルタ６を介してダイクロイックミラー７が配置されている。コレクタレンズ５は、ＬＥＤ４からの光を平行光に変換し、励起フィルタ６は、蛍光試料Ｓを励起するに必要な帯域の波長の光のみを透過する。ダイクロイックミラー７は、励起フィルタ６を透過された励起光を反射し、蛍光試料Ｓから発せられる蛍光を透過させるような特性のものが用いられる。
【００３１】
ダイクロイックミラー７の励起光の反射光路には、上述した対物レンズ３を介してステージ１上の蛍光試料Ｓが配置され、蛍光試料Ｓ上方から励起光を照射するようになっている。蛍光試料Ｓから発せられる蛍光は、励起光の波長より長波長側にシフトした光となって対物レンズ３よりダイクロイックミラー７を透過する。
【００３２】
ダイクロイックミラー７を透過した光路には、観察光学系を構成するバリアフィルタ８、ビームスプリッター９が配置されている。バリアフィルタ８は、蛍光の帯域以外の光をカットしてＳ／Ｎの良い観察像を取得するためのものである。ビームスプリッター９は、バリアフィルタ８より入射した光を２方向に分岐するもので、一方の光路に接眼レンズ１０が配置されて目視観察を可能とし、また、他方の光路に、外部機器である撮像手段としてのＣＣＤカメラ１１が配置され、蛍光の撮像を可能としている。
【００３３】
ＬＥＤ４には、ＬＥＤ駆動部１２を介して制御手段としての制御部１３が接続されている。ＬＥＤ駆動部１２は、制御部１３の指示により、ＬＥＤ４の点灯／消灯を制御するものである。制御部１３には、マンマシンインターフェースとしての操作部１４が接続されている。
【００３４】
図２は、制御部１３の概略構成を示すもので、ＣＰＵ１３１、ＲＯＭ１３２、ＲＡＭ１３３、不揮発メモリ１３４および調光部１３５から構成され、これらＣＰＵ１３１、ＲＯＭ１３２、ＲＡＭ１３３、不揮発メモリ１３４および調光部１３５は、ＣＰＵバスを介して接続されている。
【００３５】
ここで、ＲＯＭ１３２は、ＣＰＵ１３１での制御内容を記述したプログラムが記憶されている。ＲＡＭ１３３は、制御演算などのデータが格納される。不揮発メモリ１３４は、ＥＥＰＲＯＭあるいはフラッシュメモリ等が用いられ、プログラムの実行により必要な情報の記憶、読み出しが行われる。調光部１３５は、ＣＰＵ１３１からのＬＥＤ４の点灯／消灯の指示に応じて、ＬＥＤ駆動部１２を介してＬＥＤ４の点灯／消灯制御を行う。また、調光部１３５は、ＣＰＵ１３１からの調光指示に応じて、ＬＥＤ駆動部１２に電力可変信号を出力し、ＬＥＤ４の照明光束を増減させる調光制御も行なうようにしている。
【００３６】
一方、制御部１３に、マンマシンインターフェースとして接続される操作部１４は、図３に示すように、操作部本体１４１表面に、操作入力手段としてのボタン１４２と調光操作手段としての調光ダイアル１４３が配置され、各々ＣＰＵ１３１と接続されている。ボタン１４２は、押下操作、開放操作に応じてＬＥＤ４の点灯／消灯の操作信号を出力するもので、この操作信号をＣＰＵ１３１により読み出し可能になっている。また、調光ダイアル１４３は、操作角度（回転角）に応じた調光操作信号を出力するもので、この調光操作信号をＣＰＵ１３１により読み出し可能になっている。ＣＰＵ１３１は、操作部１４からの各種の操作信号を受け取ると、これらの操作信号に応じて各部位を制御する。
【００３７】
なお、制御部１３には、ＲＳ−２３２Ｃ、ＵＳＢあるいは、イーサネット（登録商標）等の図示しない外部通信部が設けられており、パーソナルコンピュータ（ＰＣ）等の外部機器（以下、ホストという）から、ＣＰＵ１３１が不図示のＩ／Ｆを介してコマンドを送受することにより、操作部１４からの操作と同等の制御を行うとともに、外部との情報交換を行なうようにしている。
【００３８】
次に、このように構成した第１の実施の形態の動作を説明する。
【００３９】
いま、初期状態として、ＬＥＤ４は消灯しているものとする。この状態から、操作部１４のボタン１４２を押下操作すると、制御部１３のＣＰＵ１３１は、ボタン１４２の押下操作を検出し、調光ダイアル１４３の操作角度（回転角）を読み出し、この操作角度に応じた調光指示値を調光部１３５へ出力する。
【００４０】
調光部１３５は、ＣＰＵ１３１からの調光指示値に対応した電力指示信号を生成し、この電力指示信号をＬＥＤ駆動部１２へ出力する。ＬＥＤ駆動部１２は、このときの調光指示値に対応した明るさ（光束）でＬＥＤ４を点灯する。
【００４１】
ＬＥＤ４が点灯している状態から、操作部１４の調光ダイアル１４３を操作すると、ＣＰＵ１３１は、このダイアル操作量を検出する。ＣＰＵ１３１は、調光ダイアル１４３から操作角度（回転角）を読み出し、この回転角度に応じた調光指示値を調光部１３５へ出力する。調光部１３５は、ＣＰＵ１３１からの調光指示値をＬＥＤ駆動部１２へ出力する。ＬＥＤ駆動部１２は、ＣＰＵ１３１からの調光指示値に対応した電力指示信号を出力し、ＬＥＤ４を調光出力値に対応した明るさ（光束）で点灯する。これにより、操作部１４の調光ダイアル１４３の操作角度（回転角）を調整することで、ＬＥＤ４を任意の明るさ（光束）で点灯することができる。
【００４２】
次に、操作部１４のボタン１４２を開放操作すると、ＣＰＵ１３１は、ボタン１４２の開放操作を検出して消灯指示と判断し、調光部１３５へ消灯信号を出力する。調光部１３５は、ＣＰＵ１３１からの消灯信号をＬＥＤ駆動部１２へ出力する。ＬＥＤ駆動部１２は、このときの消灯信号によりＬＥＤ４を消灯する。
【００４３】
従って、このようにすれば、蛍光照明用の光源として、固体照明である、例えばＬＥＤ４を使用したので、従来の水銀ランプやキセノンランプを光源に使用したものと比べ、点灯／消灯制御や明るさ（光束）の連続的な調整を容易にでき、優れた操作性を得られるとともに、省電力化を実現できる。また、このことは、蛍光観察（特に、蛍光イメージング）における観察や撮影時には、必要な期間でのみ励起光の照射を行なうようにできるので、観察者の不注意や粗い制御方法などに原因する無駄な励起光照射による試料の腿色を極力回避でき、生きた試料へのダメージを最小限に止めることができるなど、試料の保護にも優れている。
【００４４】
また、水銀ランプやキセノンランプの放電に必要な高電圧電源も不要にできるので、装置全体を小型／省スペースに構成できる。さらに、光源のＬＥＤ４は、低発熱であるので、長時間の蛍光観察（一分子蛍光イメージングや蛍光タイムラプス）において問題となる顕微鏡の熱ドリフトの影響も少なくできる。
【００４５】
（変形例１）
第１の実施の形態では、ＬＥＤ４の点灯／消灯を１個のボタン１４２の押下げ操作、開放操作により行なっているが、ボタン１４２の押し操作毎に消灯と点灯が入れ替わる、いわゆるトグル操作制御のものを使用することもできる。また、このような操作に限定するものではなく、例えば、ボタンを２個用意し、一方のボタンをＬＥＤ４の点灯用ボタン、他方のボタンをＬＥＤ４の消灯用ボタンとして、それぞれ独立した機能を割り付けすることで、操作性の向上を図ることができる。また、ボタン１４２として、内部に小型発光素子を内蔵した照光式ボタンを用い、ＬＥＤ４の点灯／消火に対応させて小型発光素子を点灯／消灯するような構成としてもよい。こうすれば、容易にＬＥＤ４の点灯／消灯の制御状態を目視確認することができる。
【００４６】
（第２の実施の形態）
次に、本発明の第２の実施の形態を説明する。
【００４７】
図４は、本発明の第２の実施の形態にかかる顕微鏡用蛍光照明装置を使用した顕微鏡システムの概略構成を示すもので、図１と同一部分には同符号を付している。
【００４８】
この場合、ビームスプリッター９により分岐された撮影用光路には、露出制御信号入力端子を有するＣＣＤカメラ２１が配置されている。このＣＣＤカメラ２１は、他の機器から露出制御信号入力端子に入力されるＴＴＬレベルの信号により、露出の開始、終了を制御することが可能になっている。ここでは、不図示のカメラコントローラにより、露出待機状態に設定されると、露出制御信号入力端子に入力される信号レベルに応じて、入力信号レベル：Ｈｉｇｈで露出を開始し露出状態となり、入力信号レベル：Ｌｏｗで露出を終了し、再び露出待機状態となるようにしている。
【００４９】
その他は、図１と同様である。
【００５０】
また、図５は、制御部１３の概略構成を示すもので、図２と同一部分には同符号を付している。この場合、調光部１３５には、信号出力手段として外部信号出力部１３６が接続されている。外部信号出力部１３６は、ＣＰＵ１３１からのＬＥＤ４の点灯／消灯指示に応じてＣＣＤカメラ２１の制御信号としてＴＴＬレベル信号を出力するもので、ＬＥＤ４の点灯時、Ｈｉｇｈレベルを出力し、ＬＥＤ４の消灯時、Ｌｏｗレベルを出力するようになっている。この外部信号出力部１３６からの出力信号は、不図示のケーブルを介してＣＣＤカメラ２１の露出制御信号入力端子に入力されるようになっている。
【００５１】
その他は、図２と同様である。
【００５２】
次に、このように構成した第２の実施の形態の動作を説明する。
【００５３】
いま、初期状態として、ＬＥＤ４が消灯しているものとし、また、ＣＣＤカメラ２１は、不図示のカメラコントローラにより、露出待機状態に設定されている。この状態から、操作部１４のボタン１４２を押下操作すると、ＣＰＵ１３１は、ボタン１４２の押下操作を検出し、調光ダイアル１４３の操作角度（回転角）を読み出し、この操作角度に応じた調光指示値を調光部１３５へ出力する。
【００５４】
調光部１３５は、ＬＥＤ駆動部１２へ調光指示値に対応した電力指示信号を出力し、ＬＥＤ４を調光指示値に対応した明るさ（光束）で点灯する（図６（ａ））。また、これと同時に、調光部１３５は、外部信号出力部１３６に電力指示信号を出力する。外部信号出力部１３６は、ＬＥＤ４の点灯によりＨｉｇｈレベルの信号を発生し（図６（ｂ））、ＣＣＤカメラ２１の露出制御信号入力端子に出力する。これにより、ＣＣＤカメラ２１は、外部信号出力部１３６からのＨｉｇｈレベルの入力信号を受け露出を開始する（（図６（ｃ））。
【００５５】
その後、操作部１４のボタン１４２を開放操作すると、ＣＰＵ１３１は、ボタン１４２の開放操作を検出して消灯指示と判断し、調光部１３５へ消灯信号を出力する。これを受けて、調光部１３５は、消灯信号をＬＥＤ駆動部１２へ出力し、ＬＥＤ４を消灯する（図６（ａ））。また、調光部１３５は、外部信号出力部１３６に消灯信号を出力する。外部信号出力部１３６は、ＬＥＤ４の消灯によりＬｏｗレベルの信号を発生し（図６（ｂ））、ＣＣＤカメラ２１の露出制御信号入力端子に出力する。これにより、ＣＣＤカメラ２１は、外部信号出力部１３６からのＬｏｗレベルの入力信号を受けて露出を終了する（（図６（ｃ））。
【００５６】
従って、このようにすれば、蛍光試料Ｓに励起光を照射している期間だけ、ＣＣＤカメラ２１での露出を行うようにしたので、特に接眼レンズ１０を通した肉眼での観察では、全く認識できないような微弱な蛍光のイメージングにおいても、不要な励起光照射を行うことを確実に防止することができる。
【００５７】
（変形例１）
第２の実施の形態では、操作部１４のボタン１４２の操作によりＬＥＤ４の点灯／消灯と同時に、Ｈｉｇｈ／Ｌｏｗレベルの信号を出力するようにしたが、例えば、操作部１４に補助ボタンを設け、この補助ボタンの操作により、ＬＥＤ４の点灯／消灯に対応するＨｉｇｈ／Ｌｏｗレベル信号の出力の許可／不許可を制御するようにしてもよい。こうすれば、ＬＥＤ４の点灯／消灯に対応するＨｉｇｈ／Ｌｏｗレベル信号の出力を許可している間は調光ダイアル１４３の操作を無効とするような制御を採ることが可能であり、ＣＣＤカメラ２１の露出中の不用意な調光を未然に防止することができる。
【００５８】
（第３の実施の形態）
次に、本発明の第３の実施の形態を説明する。
【００５９】
図７は、本発明の第３の実施の形態にかかる顕微鏡用蛍光照明装置を使用した顕微鏡システムの概略構成を示すもので、図１と同一部分には同符号を付している。
【００６０】
この場合も、ビームスプリッター９により分岐された撮影用光路には、露出制御信号出力端子を有するＣＣＤカメラ２２が配置されている。このＣＣＤカメラ２２は、露出制御状態に応じて露出制御信号出力端子よりＴＴＬレベルの信号を出力する。ここでは、不図示のカメラコントローラの操作により、露出を開始すると、露出制御信号出力端子よりＨｉｇｈレベルを出力し、所定時間後に露出を終了すると、Ｌｏｗレベルを出力する。つまり、このＣＣＤカメラ２２は、露出制御状態を他の機器へ知らせることが可能になっている。このＣＣＤカメラ２２の露出制御信号出力端子からの信号は、不図示のケーブルを介して制御部１３に入力されるようになっている。
【００６１】
その他は、図１と同様である。
【００６２】
また、図８は、制御部１３の概略構成を示すもので、図２と同一部分には同符号を付している。この場合、調光部１３５には、ＣＣＤカメラ２２の動作状態に応じた指示入力信号のＴＴＬレベルを受け取る、信号入力手段としての外部信号入力部１３７が接続されている。調光部１３５は、ＣＰＵ１３１により指示入力信号の取込みを許可されている場合は、外部信号入力部１３７の指示入力信号に応じて、ＬＥＤ４を点灯／消灯する。ここでは、外部信号入力部１３７の指示入力信号がＨｉｇｈレベルであれば、ＬＥＤ４を点灯し、外部信号入力部１３７の指示入力信号がＬｏｗレベルであれば、ＬＥＤ４を消灯するようにしている。一方、ＣＰＵ１３１により指示入力信号の取込みが禁止されている場合は、調光部１３５は、外部信号入力部１３７の指示入力信号に関係なく、ＣＰＵ１３１からのＬＥＤ４の点灯／消灯指示にしたがってＬＥＤ駆動部１２を介してＬＥＤ４の点灯／消灯を行う。さらに、調光部１３５は、ＣＰＵ１３１からの調光指示に応じて、ＬＥＤ駆動部１２へ電力可変信号を調整し、ＬＥＤ４による照明光束を増減させるようにもしている。
【００６３】
その他は、図２と同様である。
【００６４】
次に、このように構成した第３の実施の形態の動作を説明する。
【００６５】
いま、初期状態として、外部信号入力部１３７への指示入力信号の取込みが禁止され、ＣＣＤカメラ２２も露出状態にないものとする。
【００６６】
この状態から、操作部１４の調光ダイアル１４３を操作すると、ＣＰＵ１３１は、調光ダイアル１４３の操作角度を読み出し、これに応じた調光指示値を調光部１３５へ出力する。調光部１３５は、ＬＥＤ駆動部１２へ調光指示値に対応した電力指示信号を出力し、ＬＥＤ４を調光指示値に対応した明るさ（光束）で点灯する。この場合、調光部１３５は、このときの調光指示値を保持している。
【００６７】
次に、操作部１４のボタン１４２を押下操作すると、ＣＰＵ１３１は、ボタン１４２の押下操作を検出し、調光部１３５へＬＥＤの消灯と、外部信号入力部１３７への指示入力信号の取込みを許可する。調光部１３５は、ＬＥＤ駆動部１２を介してＬＥＤ４を消灯するとともに、外部信号入力部１３７への指示入力信号の待ち状態となる。
【００６８】
この状態から、ＣＣＤカメラ２２が不図示のカメラコントローラヘの操作により露出を開始すると、露出制御信号出力端子よりＨｉｇｈレベルの信号が発生し、外部信号入力部１３７に伝えられる（図９（ａ））。調光部１３５は、外部信号入力部１３７のＨｉｇｈレベル信号により、予め保持している調光指示値に対応した電力指示信号をＬＥＤ駆動部１２に出力し、ＬＥＤ４を点灯する（図９（ｂ））。
【００６９】
次に、ＣＣＤカメラ２２での所定時間の露出が終了すると、露出制御信号出力端子よりＬｏｗレベルの信号が発生し、外部信号入力部１３７に伝えられる（図９（ａ））。調光部１３５は、外部信号入力部１３７からのＬｏｗレベル信号により、ＬＥＤ駆動部１２を介してＬＥＤ４を消灯する（図９（ｂ））。
【００７０】
従って、このようにすれば、ＣＣＤカメラ２２で露出を行なっている間だけ蛍光試料Ｓに励起光を照射するようにしたので、ＣＣＤカメラ２２の自動露出による露出時間が変化するような場合においても、何ら問題なく対応でき、かつ、必要に応じて最小の励起光照射も実現できる。
【００７１】
（第４の実施の形態）
次に、本発明の第４の実施の形態を説明する。
【００７２】
図１０は、本発明の第４の実施の形態にかかる顕微鏡用蛍光照明装置を使用した顕微鏡システムの概略構成を示すもので、図１と同一部分には同符号を付している。
【００７３】
この場合、照明光源として、ＬＥＤ４の他に、ＬＥＤ３１が配置されている。このＬＥＤ３１には、ＬＥＤ４と発光主波長の異なるものが用いられる。
【００７４】
ＬＥＤ３１から発せられる光の光路には、コレクタレンズ３２、ダイクロイックミラー３３が配置されている。コレクタレンズ３２は、ＬＥＤ３１からの光を平行光に変換するものである。ダイクロイックミラー３３は、ＬＥＤ３１から発せられる光の光路とＬＥＤ４から発せられる光の光路が交差する位置に設けられるもので、ＬＥＤ３１からの波長光を反射し、ＬＥＤ４からの波長光を透過するような特性を有している。
【００７５】
ＬＥＤ３１には、ＬＥＤ駆動部３４を介して制御部１３が接続されている。ＬＥＤ駆動部３４は、制御部１３の指示により、ＬＥＤ３１の点灯／消灯を制御するものである。
【００７６】
ビームスプリッター９により分岐された撮影用光路には、露出制御信号出力端子を有するＣＣＤカメラ３５が配置されている。このＣＣＤカメラ３５は、露出制御状態に応じて露出制御信号出力端子よりＴＴＬレベルの信号を出力する。ここでは、不図示のカメラコントローラの操作により、露出を開始すると、露出制御信号出力端子よりＨｉｇｈレベルを出力し、所定時間後に露出を終了すると、Ｌｏｗレベルを出力する。つまり、このＣＣＤカメラ３５は、露出制御状態を他の機器へ知らせることが可能になっている。また、ＣＣＤカメラ３５は、例えば、全画素読み出しインターライン型ＣＣＤ高速カメラであり、数［ｍｓ］の露出を数十［ｕｓ］の露出データ転送時間で、繰り返し連続画像撮像を可能としたものである。このＣＣＤカメラ３５の露出制御信号出力端子からの信号は、不図示のケーブルを介して制御部１３に入力されるようになっている。
【００７７】
その他は、図１と同様である。
【００７８】
また、図１１は、制御部１３のの概略構成を示すもので、図２と同一部分には同符号を付している。この場合も調光部１３５には、ＣＣＤカメラ３５の動作状態に応じた指示入力信号（ＴＴＬレベル）を受け取る信号入力手段としての外部信号入力部１３８が接続されている。また、調光部１３５には、ＬＥＤ駆動部１２とＬＥＤ駆動部３４が接続され、ＣＰＵ１３１からの指示、あるいは、外部信号入力部１３８の指示入力信号に応じて、ＬＥＤ４およびＬＥＤ３１を点灯／消灯することができるようになっている。さらに、調光部１３５は、ＣＰＵ１３１から調光指示値を受け取ると、この調光指示値に対応したＰＷＭ（パルス幅変調）波形をＬＥＤ駆動部１２およびＬＥＤ駆動部３４へ出力するようにしている。例えば、ＰＷＭ周期は２５０［ｕｓ］であり、２．５［ｕｓ］単位でｄｕｔｙ（ＰＷＭ周期のＨｉｇｈレベルとＬｏｗレベルの比率）を調光指示値に応じて可変できるようにしている。具体的には、調光指示値をそれぞれ０、２５、５０，７５、１００とした場合、図１３（ａ）〜（ｅ）に示すようなＰＷＭ波形ｄｕｔｙが得られるようになっている。、
ＬＥＤ駆動部１２は、調光部１３５から入力されるＰＷＭ波形が、Ｈｉｇｈレベルの間だけ、ＬＥＤ４に電流Ｉａを供給し、Ｌｏｗレベルの間は、電流Ｉａを遮断する。ここでの電流Ｉａは、予めＬＥＤ駆動部１２に設定されたもので、ＬＥＤ４の特性に合わせて調節されている。このようにして電流Ｉａが供給される時間を可変することで、ＬＥＤ４から放射される光束を可変し、ＬＥＤ４からの励起光照明を調光している。
【００７９】
ＬＥＤ駆動部３４についても同様で、調光部１３５から入力されるＰＷＭ波形が、Ｈｉｇｈレベルの間だけ、ＬＥＤ３１に電流Ｉｂを供給し、Ｌｏｗレベルの間は、電流Ｉｂを遮断する。ここでの電流Ｉｂも、予めＬＥＤ駆動部３４に設定されたもので、ＬＥＤ３１の特性に合わせて調節されている。このようにして電流Ｉｂが供給される時間を可変することで、ＬＥＤ３１から放射される光束を可変し、ＬＥＤ３１からの励起光照明を調光している。
【００８０】
その他は、図２と同様である。
【００８１】
一方、このように構成された制御部１３には、マンマシンインターフェースとして操作部１４が接続されている。
【００８２】
図１２は、操作部１４の概略構成を示すもので、図３と同一部分には同符号を付している。この場合、操作部１４は、操作部本体１４１表面に、調光ダイアル１４３の他に、操作入力部をなす４つのボタン１４２ａ、１４２ｂ、１４２ｃ、１４２ｄが配置され、さらに表示部としてＬＣＤ１４４が配置されている。
【００８３】
ボタン１４２ａ、１４２ｂ、１４２ｃ、１４２ｄは、押下操作、開放操作に応じた操作信号を出力するもので、これらの操作信号をＣＰＵ１３１により読み出可能になっている。この場合、ボタン１４２ａは、ＬＥＤ４を点灯／消灯するものである。ボタン１４２ｂは、ＬＥＤ３１を点灯／消灯するものである。ボタン１４２ｃは、調光対象のＬＥＤを選択するもので、このボタン１４２ｃの操作毎に調光ダイアル１４３の調光対象をＬＥＤ４、ＬＥＤ３１、ＬＥＤ４、…とトグル選択するものである。ボタン１４２ｄは、二つの制御モードを切換えるもので、後述するノーマルモードと２波長励起モードを操作毎にトグル切換えするものである。
【００８４】
また、ＬＣＤ１４４は、ＣＰＵ１３１からの指示に応じて各種設定情報や操作情報などを表示するものである。そして、ＣＰＵ１３１は、操作部１４からの操作信号を受け取ると、この操作信号に応じて各部位を制御する。
【００８５】
その他は、図３と同様である。
【００８６】
次に、このように構成した第４の実施の形態の動作を説明する。
【００８７】
いま、初期状態として、ＬＥＤ４とＬＥＤ３１ともに点灯、ノーマルモードであり、ＣＣＤカメラ３５は露出状態にないものとする。また、調光対照としてＬＥＤ４が選択されているものとする。
【００８８】
この状態で、調光ダイアル１４３を操作すると、ＣＰＵ１３１は、これを検出する。ＣＰＵ１３１は、調光ダイアル１４３の操作角度（回転角）を読み出し、この操作角度に応じた調光指示値を調光部１３５に出力する。
【００８９】
調光部１３５は、ＬＥＤ駆動部１２へ調光指示値に応じたＰＷＭ波形を出力し、ＬＥＤ４を調光指示値に対応した明るさ（光束）で点灯する。この場合、調光ダイアル１４３が最大操作角度に設定されていると、ＣＰＵ１３１は、最大の調光指示値である「１００」を調光部１３５へ出力し、調光部１３５は、図１３（ａ）に示すようにＰＷＭ波形としてＰＷＭ周期の全期間がＨｉｇｈレベルとなるＰＷＭ波形をＬＥＤ駆動部１２に出力する。これにより、ＬＥＤ４は、供給電流Ｉａで規定される最大光束を放射し、蛍光試料Ｓに対して、もっとも明るい励起光照明を行なうことになる。
【００９０】
次に、ボタン１４２ｃを操作すると、ＣＰＵ１３１は、これを検出し、調光対象の切換え信号を調光部１３５へ出力して調光対象をＬＥＤ４からＬＥＤ３１へ切換える。この状態で、調光ダイアル１４３を操作すると、ＣＰＵ１３１は、調光ダイアル１４３の操作角度（回転角）を読み出し、この操作角度に応じた調光指示値を調光部１３５に出力する。
【００９１】
調光部１３５は、ＬＥＤ駆動部３４へ調光指示値に応じたＰＷＭ波形を出力し、ＬＥＤ３１を調光指示値に対応した明るさ（光束）で点灯する。この場合、調光ダイアル１４３が中間操作角度に設定されていると、ＣＰＵ１３１は、中間の調光指示値である「５０」を調光部１３５へ出力し、調光部１３５は、図１３（ｃ）に示すようにＰＷＭ波形としてＰＷＭ周期の半分の期間がＨｉｇｈレベルとなるＰＷＭ波形をＬＥＤ駆動部３４に出力する。これによりＬＥＤ３１は、供給電流Ｉａで規定される最大光束の半分を放射し、蛍光試料Ｓに対して最大明るさの半分で励起光照明を行なうことになる。
【００９２】
次に、ボタン１４２ｄを操作すると、ＣＰＵ１３１は、これを検出し、ノーマルモードから２波長励起モードに切換える。ＣＰＵ１３１は、調光部１３５へ２波長励起モードを示す信号を出力する。調光部１３５は、ＬＥＤ４、ＬＥＤ３１の調光指示値を保持したまま、ＬＥＤ駆動部１２およびＬＥＤ駆動部３４へのＰＷＭ波形出力をともにＬｏｗレベルに固定する。これにより、ＬＥＤ４およびＬＥＤ３１はいずれも消灯し、蛍光試料Ｓへの励起光照明は無くなる。そして、調光部１３５は、外部信号入力部１３８への指示入力信号待ち状態となる。
【００９３】
この場合、２波長励起モードの動作を説明する。なお、ＣＣＤカメラ３５は、後述する各回の露出時間が一定であるとする。
【００９４】
いま、ＣＣＤカメラ３５が不図示のカメラコントローラの操作により１回目の露出を開始すると（図１４（ａ）の第１回目の期間参照）、露出制御信号出力端子よりＨｉｇｈレベルの信号が出力し、外部信号入力部１３８に送られる。調光部１３５は、外部信号入力部１３８へのＨｉｇｈレベル信号の入力により、直ちにＰＷＭ波形（保持している調光指示値に対応するＰＷＭ波形）をＬＥＤ駆動部１２に出力する（図１４（ｂ）参照）。これにより、外部信号入力部１３８へのＨｉｇｈレベル信号の入力に同期して、ＬＥＤ駆動部１２へＰＷＭ波形が出力され、ＬＥＤ４による励起光照明が開始される。
【００９５】
この状態で、ＣＣＤカメラ３５での１回目の露出（ＬＥＤ４の励起光照明による蛍光試料Ｓの蛍光画像の撮像）が終了すると、ＣＣＤカメラ３５の露出制御信号出力端子がＬｏｗレベル信号となり、ＣＣＤカメラ３５は、１回目の画像の転送および読み出しを開始する。ＣＣＤカメラ３５の露出制御信号出力端子より出力されたＬｏｗレベル信号は、外部信号入力部１３８に送られる。
【００９６】
調光部１３５は、外部信号入力部１３８へのＬｏｗレベル信号の入力により、直ちにＰＷＭ波形（ＰＷＭ周期の全期間がＬｏｗレベル）をＬＥＤ駆動部１２へ出力する。これにより、外部信号入力部１３８のＬｏｗレベル信号入力に同期して、ＬＥＤ駆動部１２へＬｏｗレベル信号が出力され、ＬＥＤ４による励起光照明は消灯する。
【００９７】
なお、ＣＣＤカメラ３５は、一方で、不図示の画像取得ボードに接続されている。この画像取得ボードは、ＰＣＩバスなどで不図示のＰＣに装着されている。これにより、ＣＣＤカメラ３５は、読み出した画像データをＰＣへも転送する。
【００９８】
ＣＣＤカメラ３５による画像転送が終了（速い場合、〜数十［ｕｓ］）すると、次の露出が可能になる。そして、ＣＣＤカメラ３５が２回目の露出を開始すると（図１４（ａ）の第２回目の期間参照）、露出制御信号出力端子よりＨｉｇｈレベルの信号が出力し、外部信号入力部１３８に送られる。調光部１３５は、外部信号入力部１３８へのＨｉｇｈレベル信号の入力により、直ちにＰＷＭ波形（保持している調光指示値に対応するＰＷＭ波形）をＬＥＤ駆動部３４に出力する（図１４（ｂ）参照）。これにより、外部信号入力部１３８へのＨｉｇｈレベル信号の入力に同期して、ＬＥＤ駆動部３４へＰＷＭ波形が出力され、ＬＥＤ３１による励起光照明が開始される。
【００９９】
この状態で、ＣＣＤカメラ３５での２回目の露出（ＬＥＤ３１の励起光照明による蛍光試料Ｓの蛍光画像の撮像）が終了すると、ＣＣＤカメラ３５の露出制御信号出力端子がＬｏｗレベル信号となり、ＣＣＤカメラ３５は、２回目の画像の転送および読み出しを開始する。ＣＣＤカメラ３５の露出制御信号出力端子より出力されたＬｏｗレベル信号は、外部信号入力部１３８に送られる。
【０１００】
調光部１３５は、外部信号入力部１３８へのＬｏｗレベル信号の入力により、直ちにＰＷＭ波形（ＰＷＭ周期の全期間がＬｏｗレベル）をＬＥＤ駆動部３４へ出力する（図１４（ｂ）参照）。これにより、外部信号入力部１３８のＬｏｗレベル信号入力に同期して、ＬＥＤ駆動部３４へＬｏｗレベル信号が出力され、ＬＥＤ３１による励起光照明は消灯する。
【０１０１】
この場合も、ＣＣＤカメラ３５は、読み出した画像データをＰＣへも転送する。
【０１０２】
ＣＣＤカメラ３５による画像転送が終了すると、次なる露出が可能になる。ＣＣＤカメラ３５が３回目の露出を開始すると（図１４（ａ）の第３回目の期間参照）、露出制御信号出力端子より、Ｈｉｇｈレベルの信号が出力し、外部信号入力部１３８に送られる。調光部１３５は、外部信号入力部１３８へのＨｉｇｈレベル信号の入力により、直ちにＰＷＭ波形（保持している調光指示値に対応するＰＷＭ波形）をＬＥＤ駆動部１２に出力する。これにより、外部信号入力部１３８へのＨｉｇｈレベル信号の入力に同期して、ＬＥＤ駆動部１２へＰＷＭ波形が出力され、ＬＥＤ４による励起光照明が開始される。
【０１０３】
以下、同様にして、ＣＣＤカメラ３５の不図示のカメラコントローラに設定された露出回数が終了するまで、上述した動作を繰り返す。この場合、ＣＣＤカメラ３５の奇数回での露出では、ＬＥＤ４の励起光照明による蛍光試料Ｓの蛍光画像が取得され、ＣＣＤカメラ３５の偶数回での露出では、ＬＥＤ３１の励起光照明による蛍光試料Ｓの蛍光画像が取得されることとなる。
【０１０４】
このようにした第４の実施の形態は、例えば、カルシウムイオン濃度測定としてＦｕｒａ２を導入した生細胞の２波長レシオイメージングに適用するのが好適である。この場合、ＬＥＤ４に発光主波長３４０［ｎｍ］、ＬＥＤ３１に発光主波長３８０［ｎｍ］のＬＥＤを使用し、これら二種類の励起光（３４０［ｎｍ］と３８０［ｎｍ］）の切換えを、ＣＣＤカメラ３５からの露出制御信号出力を使用して行うようにする。これによって、従来、高速シャッターや高速フィルターホイールなどのメカ構成では不可能であった［ｕｓ］オーダーの２波長切換えが実現できる。
【０１０５】
従って、このようにすれば、ＣＣＤカメラ３５の各回の露出開始に同期して、調光制御であるＰＷＭ制御を開始するようにできるので、取得される各回毎の画像は、励起光照明にバラツキや、ふらつきのない安定した蛍光画像として得ることができ、結果として精度の良いレシオを得ることができる。また、蛍光試料Ｓに対して、必要にして最小の励起光照射を実現しているので、生きた細胞へのダメージが従来よりケタ違いに少なくでき、生きた細胞の長時間の観察や蛍光イメージングが可能となる。
【０１０６】
（変形例１）
上述した第４の実施の形態では、操作部１４でのボタン１４２ａ、１４２ｂ、１４２ｃ、１４２ｄの操作による動作を説明したが、本装置は複数の制御コマンドからなるコマンドセットを有している。従って、図示しない外部通信部を使用し、ＰＣ上の適当なアプリケーションによりコマンドセットを送受すれば、アプリケーションのＧＵＩにより、さらに統合、洗練された蛍光イメージング作業環境を実現することが可能である。
【０１０７】
なお、本発明は、上記実施の形態に限定されるものでなく、実施段階では、その要旨を変更しない範囲で種々変形することが可能である。
【０１０８】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【０１０９】
【図１】本発明の第１の実施の形態にかかる顕微鏡用蛍光照明装置を使用した顕微鏡システムの概略構成を示す図。
【図２】第１の実施の形態に用いられる制御部の概略構成を示す図。
【図３】第１の実施の形態に用いられる操作部の概略構成を示す図。
【図４】本発明の第２の実施の形態にかかる顕微鏡用蛍光照明装置を使用した顕微鏡システムの概略構成を示す図。
【図５】第２の実施の形態に用いられる制御部の概略構成を示す図。
【図６】第２の実施の形態のＬＥＤ点灯／消灯、外部信号出力およびＣＣＤカメラの露出制御の関係を説明するための図。
【図７】本発明の第３の実施の形態にかかる顕微鏡用蛍光照明装置を使用した顕微鏡システムの概略構成を示す図。
【図８】第３の実施の形態に用いられる制御部の概略構成を示す図。
【図９】第３の実施の形態のＣＣＤカメラの制御信号とＬＥＤ制御の関係を説明するための図。
【図１０】本発明の第４の実施の形態にかかる顕微鏡用蛍光照明装置を使用した顕微鏡システムの概略構成を示す図。
【図１１】第４の実施の形態に用いられる制御部の概略構成を示す図。
【図１２】第４の実施の形態に用いられる操作部の概略構成を示す図。
【図１３】第４の実施の形態の調光指示値とＰＷＭ波形の関係を説明するための図。
【図１４】第４の実施の形態の２波長励起モードでのＣＣＤカメラの制御信号出力とＬＥＤの点灯／消灯の関係を説明するための図。
【符号の説明】
【０１１０】
１…ステージ、２…レボルバ、３…対物レンズ
４…ＬＥＤ、５…コレクタレンズ
６…励起フィルタ、７…ダイクロイックミラー
８…バリアフィルタ、９…ビームスプリッター
１０…接眼レンズ、１１…ＣＣＤカメラ
１２…ＬＥＤ駆動部、１３…制御部
１３１…ＣＰＵ、１３２…ＲＯＭ
１３３…ＲＡＭ、１３４…不揮発メモリ
１３５…調光部、１３６…外部信号出力部
１３７、１３８…外部信号入力部、１４…操作部
１４１…操作部本体、１４２…ボタン
１４２ａ〜１４２ｄ…ボタン、１４３…調光ダイアル
１４４…ＬＣＤ、２１、２２…ＣＣＤカメラ
３１…ＬＥＤ、３２…コレクタレンズ
３３…ダイクロイックミラー、３４…ＬＥＤ駆動部、３５…ＣＣＤカメラ
【図１】
2005321453.tif 000003
【図２】
2005321453.tif 000004
【図３】
2005321453.tif 000005
【図４】
2005321453.tif 000006
【図５】
2005321453.tif 000007
【図６】
2005321453.tif 000008
【図７】
2005321453.tif 000009
【図８】
2005321453.tif 000010
【図９】
2005321453.tif 000011
【図１０】
2005321453.tif 000012
【図１１】
2005321453.tif 000013
【図１２】
2005321453.tif 000014
【図１３】
2005321453.tif 000015
【図１４】
2005321453.tif 000016